(57)【要約】【課題】ロック部と被ロック部とのロック力を確保しつつ、ロックバネ部の破損を防ぐことができる構成を有するコネクタを提供する。【解決手段】コネクタ１００は、端子２００と、保持部材３００と、第１部材４００と、第２部材５００とを備えている。第１部材４００は、嵌合状態において相手側コネクタをコネクタ１００から抜去しようとすると、第１部材４００のロックバネ部４３０が弾性変形して、第１部材４００のロック部４５０及び被規制部４７０の夫々は上下方向における上方と第１水平方向との合成方向に移動するように構成されている。被規制部４７０の移動の範囲は、規制部５３２によって規制されている。【選択図】図１
2019153497.tif 000002
【特許請求の範囲】
【請求項１】
上下方向において、相手側端子と被ロック部とを備えた相手側コネクタと嵌合可能なコネクタであって、
前記コネクタは、端子と、保持部材と、第１部材と、第２部材とを備えており、
前記保持部材は、前記端子と、前記第１部材と、前記第２部材とを保持しており、
前記保持部材は、第１側壁と、第２側壁とを少なくとも有しており、
前記第１側壁は、前記上下方向と直交する第１水平方向と交差しており、
前記第２側壁は、前記上下方向及び前記第１水平方向の双方と直交する第２水平方向と交差しており、
前記端子は、前記コネクタが前記相手側コネクタと嵌合したときに前記相手側端子と接続されるものであり、
前記第１部材は、第１被取付部と、ロックバネ部と、ロック部と、被規制部とを有しており、
前記第１被取付部は、前記第１側壁に取り付けられており、
前記ロックバネ部は、前記第１被取付部から前記第１水平方向に延びると共に前記上下方向において下方に向かって延びており、
前記ロック部は、前記コネクタが前記相手側コネクタと嵌合したときに前記被ロック部と共にその嵌合状態をロックするものであり、
前記ロック部及び前記被規制部の夫々は、前記ロックバネ部に支持されており、
前記第１部材は、前記嵌合状態において前記相手側コネクタを前記コネクタから抜去しようとすると、前記ロックバネ部が弾性変形して、前記ロック部及び前記被規制部の夫々は前記上下方向における上方と前記第１水平方向との合成方向に移動するように構成されており、
前記第２部材は、第２被取付部と、変形防止部とを有しており、
前記第２被取付部は、前記第２側壁に取り付けられており、
前記変形防止部は、前記第２被取付部から前記上下方向において下方に向かって延びており、
前記変形防止部には、規制部が設けられており、
前記被規制部の前記移動の範囲は、前記規制部によって規制されている
コネクタ。
【請求項２】
請求項１記載のコネクタであって、
前記ロックバネ部は、前記第１被取付部から前記第１水平方向において内側に延びると共に前記上下方向において下方に向かって延びており、
前記第１部材は、前記嵌合状態において前記相手側コネクタを前記コネクタから抜去しようとすると、前記ロックバネ部が弾性変形して、前記ロック部及び前記被規制部の夫々は前記上下方向における上方と前記第１水平方向における内方向との合成方向に移動するように構成されている
コネクタ。
【請求項３】
請求項１又は請求項２記載のコネクタであって、
前記第１部材と前記第２部材とは一体に形成されている
コネクタ。
【請求項４】
請求項１から請求項３までのいずれかに記載のコネクタであって、
前記第２部材は、前記端子を兼ねている
コネクタ。
【請求項５】
請求項１から請求項４までのいずれかに記載のコネクタであって、
前記被規制部は、前記上下方向において前記規制部の下側に位置しており、
前記被規制部の前記移動の範囲の上限は、前記規制部によって規制されている
コネクタ。
【請求項６】
請求項５記載のコネクタであって、
前記保持部材には、前記被規制部を収容する収容部が設けられており、
前記収容部は、前記上下方向において前記規制部の下側に位置している
コネクタ。
【請求項７】
請求項１から請求項４までのいずれかに記載のコネクタであって、
前記被規制部は、前記第１水平方向において前記規制部と対向しており、
前記被規制部の前記移動の前記第１水平方向における範囲は、前記規制部によって規制されている
コネクタ。
【請求項８】
請求項７記載のコネクタであって、
前記保持部材には、前記被規制部を収容する収容部が設けられており、
前記収容部は、前記第１水平方向において前記規制部に隣接している
コネクタ。
【請求項９】
請求項１から請求項８までのいずれかに記載のコネクタと、前記相手側コネクタとを備えるコネクタ組立体。
【発明の詳細な説明】
【技術分野】
【０００１】
本発明は、相手側コネクタと嵌合可能なコネクタ及びコネクタ組立体に関する。
【背景技術】
【０００２】
図３６から図３８までを参照すると、特許文献１には、上下方向（Ｚ方向）において相手側コネクタ９５０と嵌合するコネクタ９００が開示されている。相手側コネクタ９５０は、相手側端子９６０と、被ロック部９７０とを備えている。コネクタ９００は、端子９１０と、保持部材９２０と、ロック部材９３０とを備えている。保持部材９２０は、端子９１０と、ロック部材９３０とを保持している。端子９１０は、コネクタ９００が相手側コネクタ９５０と嵌合したときに相手側端子９６０と接続されるものである。ロック部材９３０は、被取付部９３２と、ロックバネ部９３４と、ロック部９３６とを有している。被取付部９３２は、保持部材９２０に取り付けられている。ロックバネ部９３４は、上下方向において上方（＋Ｚ方向）に向かって延びている。ロック部９３６は、ロックバネ部９３４に支持されている。ロック部９３６は、コネクタ９００が相手側コネクタ９５０と嵌合したときに被ロック部９７０と共にコネクタ９００と相手側コネクタ９５０とが嵌合した嵌合状態をロックするものである。
【先行技術文献】
【特許文献】
【０００３】
【特許文献１】特開２００４−５５３０６号公報
【発明の概要】
【発明が解決しようとする課題】
【０００４】
特許文献１のコネクタ９００においては、ロックバネ部９３４が相手側コネクタ９５０の抜去方向である上方（＋Ｚ方向）に向かって延びている。従って、コネクタ９００と相手側コネクタ９５０とが嵌合した嵌合状態において相手側コネクタ９５０に対して抜去方向（＋Ｚ方向）に力が加わると、ロックバネ部９３４がＹ方向外側に変形して、ロック部９３６と被ロック部９７０とのロックが外れやすい。
【０００５】
一方、特許文献１のコネクタ９００において、ロックバネ部９３４が相手側コネクタ９５０の挿入方向である下方（−Ｚ方向）に向かって延びるように構成した場合、コネクタ９００と相手側コネクタ９５０とが嵌合した嵌合状態において相手側コネクタ９５０に対して抜去方向（＋Ｚ方向）に力が加わると、ロックバネ部９３４がＹ方向内側に変形して、ロック部９３４と被ロック部９７０とのロックがより強固になるため、好ましい。しかしながら、相手側コネクタ９５０に対して加えられる抜去方向（＋Ｚ方向）へ向かう力が増大すると、ロックバネ部９３４が塑性変形して破損してしまう可能性がある。
【０００６】
よって本発明は、ロック部と被ロック部とのロック力を確保しつつ、ロックバネ部の破損を防ぐことができる構成を有するコネクタを提供することを目的とする。
【課題を解決するための手段】
【０００７】
本発明は、第１のコネクタとして、
上下方向において、相手側端子と被ロック部とを備えた相手側コネクタと嵌合可能なコネクタであって、
前記コネクタは、端子と、保持部材と、第１部材と、第２部材とを備えており、
前記保持部材は、前記端子と、前記第１部材と、前記第２部材とを保持しており、
前記保持部材は、第１側壁と、第２側壁とを少なくとも有しており、
前記第１側壁は、前記上下方向と直交する第１水平方向と交差しており、
前記第２側壁は、前記上下方向及び前記第１水平方向の双方と直交する第２水平方向と交差しており、
前記端子は、前記コネクタが前記相手側コネクタと嵌合したときに前記相手側端子と接続されるものであり、
前記第１部材は、第１被取付部と、ロックバネ部と、ロック部と、被規制部とを有しており、
前記第１被取付部は、前記第１側壁に取り付けられており、
前記ロックバネ部は、前記第１被取付部から前記第１水平方向に延びると共に前記上下方向において下方に向かって延びており、
前記ロック部は、前記コネクタが前記相手側コネクタと嵌合したときに前記被ロック部と共にその嵌合状態をロックするものであり、
前記ロック部及び前記被規制部の夫々は、前記ロックバネ部に支持されており、
前記第１部材は、前記嵌合状態において前記相手側コネクタを前記コネクタから抜去しようとすると、前記ロックバネ部が弾性変形して、前記ロック部及び前記被規制部の夫々は前記上下方向における上方と前記第１水平方向との合成方向に移動するように構成されており、
前記第２部材は、第２被取付部と、変形防止部とを有しており、
前記第２被取付部は、前記第２側壁に取り付けられており、
前記変形防止部は、前記第２被取付部から前記上下方向において下方に向かって延びており、
前記変形防止部には、規制部が設けられており、
前記被規制部の前記移動の範囲は、前記規制部によって規制されている
コネクタを提供する。
【０００８】
また、本発明は、第２のコネクタとして、第１のコネクタであって、
前記ロックバネ部は、前記第１被取付部から前記第１水平方向において内側に延びると共に前記上下方向において下方に向かって延びており、
前記第１部材は、前記嵌合状態において前記相手側コネクタを前記コネクタから抜去しようとすると、前記ロックバネ部が弾性変形して、前記ロック部及び前記被規制部の夫々は前記上下方向における上方と前記第１水平方向における内方向との合成方向に移動するように構成されている
コネクタを提供する。
【０００９】
また、本発明は、第３のコネクタとして、第１又は第２のコネクタであって、
前記第１部材と前記第２部材とは一体に形成されている
コネクタを提供する。
【００１０】
また、本発明は、第４のコネクタとして、第１から第３までのいずれかのコネクタであって、
前記第２部材は、前記端子を兼ねている
コネクタを提供する。
【００１１】
また、本発明は、第５のコネクタとして、第１から第４までのいずれかのコネクタであって、
前記被規制部は、前記上下方向において前記規制部の下側に位置しており、
前記被規制部の前記移動の範囲の上限は、前記規制部によって規制されている
コネクタを提供する。
【００１２】
また、本発明は、第６のコネクタとして、第５のコネクタであって、
前記保持部材には、前記被規制部を収容する収容部が設けられており、
前記収容部は、前記上下方向において前記規制部の下側に位置している
コネクタを提供する。
【００１３】
また、本発明は、第７のコネクタとして、第１から第４までのいずれかのコネクタであって、
前記被規制部は、前記第１水平方向において前記規制部と対向しており、
前記被規制部の前記移動の前記第１水平方向における範囲は、前記規制部によって規制されている
コネクタを提供する。
【００１４】
また、本発明は、第８のコネクタとして、第７のコネクタであって、
前記保持部材には、前記被規制部を収容する収容部が設けられており、
前記収容部は、前記第１水平方向において前記規制部に隣接している
コネクタを提供する。
【００１５】
また、本発明は、第１のコネクタ組立体として、
第１から第８までのいずれかのコネクタと、相手側コネクタを備えるコネクタ組立体を提供する。
【発明の効果】
【００１６】
本発明のコネクタにおいては、第１部材にはロックバネ部に支持されたロック部及び被規制部が設けられており、第２部材には規制部が設けられている。また、第１部材は、コネクタが相手側コネクタと嵌合した嵌合状態において相手側コネクタをコネクタから抜去しようとすると、ロックバネ部が弾性変形して、ロック部及び被規制部の夫々は上下方向における上方と第１水平方向との合成方向に移動するように構成されている。更に、被規制部の移動の範囲は、規制部によって規制されている。これにより、コネクタの第１部材のロック部と相手側コネクタの被ロック部とのロック力を確保しつつ、ロックバネ部の破損を防ぐことができる。
【００１７】
また、本発明のコネクタにおいては、第１部材の第１被取付部が取り付けられている第１側壁は、上下方向と直交する第１水平方向と交差しており、第２部材の第２被取付部が取り付けられている第２側壁は、上下方向及び第１水平方向の双方と直交する第２水平方向と交差している。これにより、規制部による被規制部の移動の範囲の規制をより確実に行うことができる。
【図面の簡単な説明】
【００１８】
【図１】本発明の第１の実施の形態によるコネクタを示す斜視図である。
【図２】図１のコネクタを示す正面図である。
【図３】図１のコネクタを示す側面図である。
【図４】図１のコネクタを示す上面図である。
【図５】図３のコネクタをＡ−Ａ線に沿って示す断面図である。
【図６】図４のコネクタをＢ−Ｂ線に沿って示す断面図である。
【図７】本発明の第１の実施の形態による相手側コネクタを示す斜視図である。
【図８】図７の相手側コネクタ示す側面図である。
【図９】本発明の第２の実施の形態によるコネクタを示す斜視図である。
【図１０】図９のコネクタを示す正面図である。
【図１１】図９のコネクタを示す側面図である。
【図１２】図９のコネクタを示す上面図である。
【図１３】図１１のコネクタをＣ−Ｃ線に沿って示す断面図である。
【図１４】図１２のコネクタをＤ−Ｄ線に沿って示す断面図である。
【図１５】本発明の第３の実施の形態によるコネクタを示す斜視図である。
【図１６】図１５のコネクタを示す正面図である。
【図１７】図１５のコネクタを示す側面図である。
【図１８】図１５のコネクタを示す上面図である。
【図１９】本発明の第３の実施の形態による相手側コネクタを示す斜視図である。
【図２０】図１９の相手側コネクタを示す側面図である。
【図２１】図１５のコネクタに含まれる第１部材及び第２部材の第１の変形例を示す斜視図である。
【図２２】図２１の第１部材及び第２部材を示す正面図である。
【図２３】図２１の第１部材及び第２部材を示す上面図である。
【図２４】図２１の第１部材及び第２部材を示す底面図である。
【図２５】図１５のコネクタに含まれる第１部材及び第２部材の第２の変形例を示す斜視図である。
【図２６】図２５の第１部材及び第２部材を示す正面図である。
【図２７】図２５の第１部材及び第２部材を示す上面図である。
【図２８】図２５の第１部材及び第２部材を示す底面図である。
【図２９】本発明の第４の実施の形態によるコネクタを示す斜視図である。
【図３０】図２９のコネクタを示す正面図である。
【図３１】図２９のコネクタを示す側面図である。
【図３２】図２９のコネクタを示す上面図である。
【図３３】本発明の第５の実施の形態によるコネクタを示す斜視図である。
【図３４】図３３のコネクタを示す正面図である。
【図３５】図３３のコネクタを示す側面図である。
【図３６】特許文献１のコネクタを示す斜視図である。
【図３７】図３６のコネクタに含まれるロック部材を示す斜視図である。
【図３８】特許文献１の相手側コネクタを示す斜視図である。
【発明を実施するための形態】
【００１９】
（第１の実施形態）
図１及び図７を参照して、本発明の第１の実施の形態によるコネクタ組立体は、コネクタ１００と、相手側コネクタ７００とを備えている。
【００２０】
図１及び図７を参照して、本発明の第１の実施の形態によるコネクタ１００は、上下方向において、本発明の第１の実施の形態による相手側コネクタ７００と嵌合可能なものである。即ち、本実施の形態のコネクタ１００はレセプタクルであり、本実施の形態の相手側コネクタ７００はプラグである。本実施の形態において、上下方向はＺ方向である。ここで、上方を＋Ｚ方向、下方を−Ｚ方向とする。コネクタ１００と相手側コネクタ７００との嵌合方法については後述する。
【００２１】
図７及び図８に示されるように、本実施の形態の相手側コネクタ７００は、相手側保持部材７５０と、４つの相手側端子７１０と、２つのロック部材７１５とを備えている。
【００２２】
図７及び図８に示されるように、本実施の形態の相手側保持部材７５０は、第１水平方向に延びる概略直方体形状を有している。より詳しくは、相手側保持部材７５０は、第１水平方向に面した２つの外側面と、第２水平方向に面した２つの外側面と、上下方向において下方に面した端面７５２とを有している。本実施の形態において、第１水平方向はＹ方向であり、第２水平方向はＸ方向である。
【００２３】
図７及び図８に示されるように、本実施の形態の相手側端子７１０の夫々は、接触部７１１と、被固定部７１２とを有している。本実施の形態の接触部７１１は、第２水平方向と直交する平板形状を有している。接触部７１１は、相手側保持部材７５０の第２水平方向に面した外側面に保持されている。本実施の形態の被固定部７１２は、上下方向と直交する平板形状を有している。被固定部７１２は、接触部７１１の上端から第２水平方向における外側に延びている。
【００２４】
図７及び図８に示されるように、本実施の形態のロック部材７１５は、相手側保持部材７５０の第１水平方向に面した外側面に保持されている。本実施の形態のロック部材７１５の夫々は、突起７１８を有している。突起７１８は、第１水平方向外側に突出しており、被ロック部７２０を有している。より詳しくは、被ロック部７２０は、突起７１８の上面である。即ち、本実施の形態の相手側コネクタ７００は、相手側端子７１０と、被ロック部７２０とを備えている。
【００２５】
図４に示されるように、本実施の形態のコネクタ１００は、保持部材３００と、４つの端子２００と、２つの第１部材４００と、４つの第２部材５００とを備えている。
【００２６】
図４を参照すると、本実施の形態の保持部材３００は絶縁体からなるものであり、２つの第１側壁３１０と、２つの第２側壁３２０と、底面３２５と、２つの第１仕切部３２７と、２つの第２仕切部３３０とを有している。２つの第１側壁３１０と２つの第２側壁３２０とで構成される構造体は、上下方向における上方から見た場合、略ロの字状の形状を有している。なお、本発明はこれに限定されず、保持部材３００は、第１側壁３１０と、第２側壁３２０とを少なくとも有していればよい。
【００２７】
図４に示されるように、本実施の形態の第１側壁３１０は、保持部材３００の第１水平方向における両端に夫々位置している。本実施の形態の第１側壁３１０は、上下方向と直交する第１水平方向と交差している。より詳しくは、第１側壁３１０の夫々は、第１水平方向と直交している。図２に示されるように、第１側壁３１０は、第１被圧入部３１２を有している。
【００２８】
図４に示されるように、本実施の形態の第２側壁３２０は、保持部材３００の第２水平方向における両端に夫々位置している。本実施の形態の第２側壁３２０は、上下方向及び第１水平方向の双方と直交する第２水平方向と交差している。より詳しくは、第２側壁３２０の夫々は、第２水平方向と直交している。図３に示されるように、第２側壁３２０は、第２被圧入部３２２を有している。
【００２９】
図１及び図４を参照して、本実施の形態の底面３２５は、上下方向と直交する平板形状を有している。底面３２５は、第１側壁３１０の下端及び第２側壁３２０の下端と接続されている。
【００３０】
図５に示されるように、本実施の形態の第１仕切部３２７は、上下方向において底面３２５から上方に延びている。また、図６に示されるように、第１仕切部３２７は、第１側壁３１０から第１水平方向において内側に延びている。
【００３１】
図６に示されるように、本実施の形態の第２仕切部３３０は、底面３２５から上方に延びている。また、図１を参照して、第２仕切部３３０は、第２側壁３２０から第２水平方向において内側に延びている。
【００３２】
図４から図６までに示されるように、本実施の形態の保持部材３００には、４つの収容部３０５が設けられている。収容部３０５の夫々は、底面３２５の上方に位置している。収容部３０５は、保持部材３００の２つの第１側壁３１０と２つの第２側壁３２０とで構成される構造体の四隅付近に夫々位置している。収容部３０５は、第１仕切部３２７の第２水平方向両外側に位置している。収容部３０５は、第２仕切部３３０の第１水平方向両外側に位置している。
【００３３】
図１及び図４に示されるように、本実施の形態の保持部材３００は、端子２００と、第１部材４００と、第２部材５００とを保持している。第１部材４００は、保持部材３００の第１側壁３１０に夫々保持されている。端子２００及び第２部材５００は、保持部材３００の第２側壁３２０に保持されている。より詳しくは、２つの端子２００及び２つの第２部材５００は、保持部材３００の第２側壁３２０のうちの一つに保持されており、残りの２つの端子２００及び残りの２つの第２部材５００は、保持部材３００の第２側壁３２０のうちの残りの一つに保持されている。
【００３４】
図６を参照して、本実施の形態の端子２００は、導電体からなるものであり、第２部材５００と一体に形成されている。即ち、本実施の形態の第２部材５００は、端子２００を兼ねている。なお、本発明はこれに限定されず、端子２００は、第２部材５００と別体であってもよい。図１及び図７を参照して、本実施の形態の端子２００は、コネクタ１００が相手側コネクタ７００と嵌合したときに相手側端子７１０と接続されるものである。
【００３５】
図５及び図６を参照すると、本実施の形態の第１部材４００は、導電体からなるものであり、第１被取付部４１０と、ロックバネ部４３０と、突起４４０と、ロック部４５０と、２つの延長部４６０と、２つの被規制部４７０と、被固定部４２０とを有している。
【００３６】
図１から図４までに示されるように、本実施の形態の第１被取付部４１０は、被固定部４２０から上下方向において上方に延びている。第１被取付部４１０は、第２水平方向外側に位置する２つの第１圧入部４１２を有している。本実施の形態の第１被取付部４１０は、保持部材３００の第１側壁３１０に取り付けられている。より詳しくは、第１部材４００の第１被取付部４１０の第１圧入部４１２は、対応する第１側壁３１０の第１被圧入部３１２に圧入されている。
【００３７】
図１及び図６に示されるように、本実施の形態のロックバネ部４３０は、第１被取付部４１０から第１水平方向に延びると共に上下方向において下方に向かって延びている。より詳しくは、本実施の形態のロックバネ部４３０は、第１被取付部４１０から第１水平方向において内側に延びると共に上下方向において下方に向かって延びている。
【００３８】
図１及び図４から図６までを参照して、本実施の形態の突起４４０は、ロックバネ部４３０から第１水平方向において内側に突出している。突起４４０は、ロックバネ部４３０に支持されている。突起４４０は、ロック部４５０を有している。より詳しくは、ロック部４５０は、突起４４０の下面である。即ち、ロック部４５０は、ロックバネ部４３０に支持されている。図６及び図８を参照して、本実施の形態のロック部４５０は、コネクタ１００が相手側コネクタ７００と嵌合したときに被ロック部７２０と共にその嵌合状態をロックするものである。
【００３９】
図１及び図４から図６までに示されるように、本実施の形態の延長部４６０は、上下方向と交差する略平板形状を有している。本実施の形態の延長部４６０は、ロックバネ部４３０の下端であって第２水平方向両端から第１水平方向内側に夫々延びている。即ち、延長部４６０の夫々は、ロックバネ部４３０に支持されている。延長部４６０は、上下方向において保持部材３００の底面３２５の上方に位置している。延長部４６０は、保持部材３００の収容部３０５に収容されている。延長部４６０は、第１水平方向において保持部材３００の第２仕切部３３０の外側に位置している。延長部４６０は、第２水平方向において保持部材３００の第１仕切部３２７の外側に位置している。
【００４０】
図１及び図４から図６までに示されるように、本実施の形態の延長部４６０の夫々には、被規制部４７０が設けられている。より詳しくは、本実施の形態の被規制部４７０は、延長部４６０の上面である。即ち、本実施の形態のコネクタ１００は、４つの被規制部４７０を有している。被規制部４７０は、ロックバネ部４３０に支持されている。被規制部４７０は、保持部材３００の収容部３０５に収容されている。即ち、保持部材３００には、被規制部４７０を収容する収容部３０５が設けられている。被規制部４７０は、第１水平方向において保持部材３００の第２仕切部３３０の外側に位置している。被規制部４７０は、第２水平方向において保持部材３００の第１仕切部３２７の外側に位置している。
【００４１】
図１及び図４に示されるように、本実施の形態の第２部材５００は、第１部材４００とは別体となっている。なお本発明はこれに限定されず、第１部材４００と第２部材５００とが一体に形成されていてもよい。
【００４２】
図１及び図４を参照すると、本実施の形態の第２部材５００は、導電体からなるものであり、第２被取付部５１０と、変形防止部５３０とを有している。
【００４３】
図１及び図３に示されるように、本実施の形態の第２被取付部５１０は、上下方向に延びている。第２被取付部５１０は、第１水平方向外側に位置する第２圧入部５１２を有している。第２被取付部５１０は、第２側壁３２０に取り付けられている。より詳しくは、第２部材５００の第２被取付部５１０の第２圧入部５１２は、第２側壁３２０の第２被圧入部３２２に圧入されている。
【００４４】
図１及び図５に示されるように、本実施の形態の変形防止部５３０は、第２被取付部５１０から上下方向において下方に向かって延びている。本実施の形態の変形防止部５３０には、規制部５３２が設けられている。より詳しくは、本実施の形態の規制部５３２は、変形防止部５３０の下端である。即ち、本実施の形態のコネクタ１００は、４つの規制部５３２を有している。保持部材３００の収容部３０５は、上下方向において規制部５３２の下側に位置している。第１部材４００の被規制部４７０は、上下方向において第２部材５００の変形防止部５３０の規制部５３２の下側に位置している。より詳しくは、本実施の形態のコネクタ１００において、４つの被規制部４７０は４つの規制部５３２と夫々対応しており、被規制部４７０の夫々は、上下方向において対応する規制部５３２の下方に位置している。規制部５３２は、第２水平方向において保持部材３００の第１仕切部３２７の外側に位置している。規制部５３２は、第１水平方向において保持部材３００の第２仕切部３３０の外側に位置している。規制部５３２は、上下方向において保持部材３００の第２仕切部３３０の上方に位置している。
【００４５】
コネクタ１００と相手側コネクタ７００との嵌合方法について以下に詳述する。
【００４６】
図１、図６、図７及び図８を参照して、まず初めに、コネクタ１００の保持部材３００の底面３２５と相手側コネクタ７００の相手側保持部材７５０の端面７５２とが上下方向において対向し、且つ、コネクタ１００の第１部材４００のロックバネ部４３０の突起４４０と相手側コネクタ７００のロック部材７１５の突起７１８とが上下方向において夫々対向するように、コネクタ１００と相手側コネクタ７００とを位置決めする。このとき、相手側コネクタ７００の相手側端子７１０は、コネクタ１００の端子２００の上方に夫々位置している。
【００４７】
次に、コネクタ１００に対して相手側コネクタ７００を下方に移動させると、コネクタ１００の第１部材４００のロックバネ部４３０の突起４４０は、相手側コネクタ７００のロック部材７１５の突起７１８と接触する。
【００４８】
その後、コネクタ１００に対して相手側コネクタ７００を更に下方に移動させると、コネクタ１００の第１部材４００のロックバネ部４３０は第１水平方向外側に弾性変形し、突起４４０は第１水平方向外側に移動する。この状態で相手側コネクタ７００の下方への移動を継続すると、コネクタ１００の夫々の第１部材４００の突起４４０のロック部４５０は、相手側コネクタ７００の対応するロック部材７１５の突起７１８の被ロック部７２０と上下方向において同じ位置に達する。
【００４９】
このとき、コネクタ１００の第１部材４００のロックバネ部４３０は元の形状に復帰し、突起４４０は第１水平方向における元の位置に帰還する。ここで、コネクタ１００の夫々の第１部材４００の突起４４０のロック部４５０は、相手側コネクタ７００の対応するロック部材７１５の突起７１８の被ロック部７２０と、上下方向において対向している。即ち、コネクタ１００と相手側コネクタ７００とは嵌合状態となる。またこのとき、コネクタ１００の端子２００は、相手側コネクタ７００の相手側端子７１０の接触部７１１と接触している。即ち、コネクタ１００の端子２００は、相手側コネクタ７００の相手側端子７１０に夫々接続されている。
【００５０】
コネクタ１００と相手側コネクタ７００とが嵌合状態にある場合において、相手側コネクタ７００をコネクタ１００から抜去しようとするときの、コネクタ１００の各部材の動作について以下に詳述する。
【００５１】
図１及び図５から図８までを参照して、コネクタ１００と相手側コネクタ７００との嵌合状態において相手側コネクタ７００をコネクタ１００から抜去しようとすると、コネクタ１００の第１部材４００のロックバネ部４３０が弾性変形して、コネクタ１００の第１部材４００のロック部４５０及び被規制部４７０の夫々は、上下方向における上方と第１水平方向との合成方向に移動する。より詳しくは、コネクタ１００と相手側コネクタ７００との嵌合状態において相手側コネクタ７００をコネクタ１００から抜去しようとすると、コネクタ１００の第１部材４００のロックバネ部４３０が弾性変形して、コネクタ１００の第１部材４００のロック部４５０及び被規制部４７０の夫々は、上下方向における上方と第１水平方向における内方向との合成方向に移動する。
【００５２】
即ち、本実施の形態の第１部材４００は、コネクタ１００と相手側コネクタ７００との嵌合状態において相手側コネクタ７００をコネクタ１００から抜去しようとすると、ロックバネ部４３０が弾性変形して、ロック部４５０及び被規制部４７０の夫々は上下方向における上方と第１水平方向との合成方向に移動するように構成されている。
【００５３】
このとき、ロックバネ部４３０が過大に変形しようとした場合には、第１部材４００の被規制部４７０は、第２部材５００の変形防止部５３０の規制部５３２に突き当たり、これにより第２部材５００の変形防止部５３０の規制部５３２は第１部材４００の被規制部４７０の移動を規制する。より詳しくは、ロックバネ部４３０が過大に変形しようとした場合には、第１部材４００の被規制部４７０は、上下方向において第２部材５００の変形防止部５３０の規制部５３２の下側から規制部５３２に突き当たり、これにより第２部材５００の変形防止部５３０の規制部５３２は第１部材４００の被規制部４７０の上方への移動を規制することとなる。
【００５４】
即ち、コネクタ１００と相手側コネクタ７００との嵌合状態において相手側コネクタ７００をコネクタ１００から抜去しようとした時にロックバネ部４３０が過大に変形しようとした場合には、被規制部４７０が規制部５３２に突き当たり、規制部５３２は被規制部４７０の移動を規制する。換言すれば、被規制部４７０の移動の範囲は、規制部５３２によって規制されている。より詳しくは、コネクタ１００と相手側コネクタ７００との嵌合状態において相手側コネクタ７００をコネクタ１００から抜去しようとした時にロックバネ部４３０が過大に変形しようとした場合には、被規制部４７０は、上下方向において規制部５３２の下側から規制部５３２に突き当たり、規制部５３２は被規制部４７０の移動を規制することとなる。換言すれば、被規制部４７０の移動の範囲の上限は、規制部５３２によって規制されている。
【００５５】
上述のように、本実施の形態のコネクタ１００においては、第１部材４００の第１被取付部４１０が取り付けられている第１側壁３１０は、第１水平方向と直交しており、第２部材５００の第２被取付部５１０が取り付けられている第２側壁３２０は、第２水平方向と直交している。これにより、第１側壁３１０と第２側壁３２０とが同じ方向に並んでいる場合と比較して、コネクタ１００と相手側コネクタ７００との嵌合状態において相手側コネクタ７００をコネクタ１００から抜去しようとした時にロックバネ部４３０が過大に変形しようとした際に被規制部４７０と規制部５３２とが突き当たる部分をより大きく確保することができるようになっている。
【００５６】
また、本実施の形態のコネクタ１００においては、コネクタ１００と相手側コネクタ７００との嵌合状態において相手側コネクタ７００をコネクタ１００から抜去しようした際に、ロックバネ部４３０に支持されたロック部４５０及び被規制部４７０は、第１水平方向において内側に移動するように構成されている。これにより、本実施の形態のコネクタ１００においては、相手側コネクタ７００をコネクタ１００から抜去しようした際に第１部材４００のロックバネ部４３０が変形する方向の先に第２部材５００を配置することができるため、コネクタ１００の構成が容易となっている。
【００５７】
（第２の実施形態）
図７及び図９を参照して、本発明の第２の実施の形態によるコネクタ組立体は、コネクタ１００Ａと、相手側コネクタ７００とを備えている。
【００５８】
図７及び図９を参照して、本発明の第２の実施の形態によるコネクタ１００Ａは、上下方向において、相手側コネクタ７００と嵌合可能なものである。即ち、本実施の形態のコネクタ１００Ａはレセプタクルである。また、本実施の形態の相手側コネクタ７００は、第１の実施の形態の相手側コネクタ７００と同じ構造を有するものである。ここで、本実施の形態における方位及び方向は、第１の実施の形態のものと同じ表現を以下において使用する。また、コネクタ１００Ａと相手側コネクタ７００との嵌合方法については第１の実施の形態のコネクタ１００と同様であるので、詳細な説明は省略する。
【００５９】
図９に示されるように、本実施の形態のコネクタ１００Ａは、保持部材３００Ａと、４つの端子２００と、２つの第１部材４００Ａと、４つの第２部材５００Ａとを備えている。このうち、端子２００については第１の実施の形態と同様であるので、詳細は省略する。
【００６０】
図１２を参照すると、本実施の形態の保持部材３００Ａは絶縁体からなるものであり、２つの第１側壁３１０と、２つの第２側壁３２０と、底面３２５と、２つの第２仕切部３３０Ａとを有している。このうち、第１側壁３１０と、第２側壁３２０と、底面３２５は、第１の実施の形態と同様であるので、詳細な説明は省略する。
【００６１】
図１４に示されるように、本実施の形態の第２仕切部３３０Ａは、底面３２５から上方に延びている。また、図９を参照して、第２仕切部３３０Ａは、第２側壁３２０から第２水平方向において内側に延びている。
【００６２】
図９及び図１２から図１４までに示されるように、本実施の形態の保持部材３００Ａには、４つの収容部３０５Ａが設けられている。収容部３０５Ａの夫々は、底面３２５の上方に位置している。収容部３０５Ａは、保持部材３００Ａの２つの第１側壁３１０と２つの第２側壁３２０とで構成される構造体の四隅付近に夫々位置している。収容部３０５Ａは、第１水平方向において第２仕切部３３０Ａの外側に位置している。
【００６３】
図９に示されるように、本実施の形態の保持部材３００Ａは、端子２００と、第１部材４００Ａと、第２部材５００Ａとを保持している。第１部材４００Ａは、保持部材３００Ａの第１側壁３１０に夫々保持されている。端子２００及び第２部材５００Ａは、保持部材３００Ａの第２側壁３２０に保持されている。より詳しくは、２つの端子２００及び２つの第２部材５００Ａは、保持部材３００Ａの第２側壁３２０のうちの一つに保持されており、残りの２つの端子２００及び残りの２つの第２部材５００Ａは、保持部材３００Ａの第２側壁３２０のうちの残りの一つに保持されている。
【００６４】
図１３及び図１４を参照すると、本実施の形態の第１部材４００Ａは、導電体からなるものであり、第１被取付部４１０と、ロックバネ部４３０と、突起４４０と、ロック部４５０と、２つの延長部４６０Ａと、２つの被規制部４７０Ａと、被固定部４２０とを有している。ここで、第１被取付部４１０と、ロックバネ部４３０と、突起４４０と、ロック部４５０と、被固定部４２０は、第１の実施の形態のコネクタ１００と同様であるため、詳細な説明は省略する。
【００６５】
図９、図１２及び図１３に示されるように、本実施の形態の延長部４６０Ａは、第１水平方向と交差する略平板形状を有している。本実施の形態の延長部４６０Ａは、ロックバネ部４３０の第２水平方向両端から第２水平方向外側に夫々延びている。延長部４６０Ａの夫々は、ロックバネ部４３０に支持されている。延長部４６０Ａは、上下方向において保持部材３００Ａの底面３２５の上方に位置している。延長部４６０Ａは、保持部材３００Ａの収容部３０５Ａに収容されている。延長部４６０Ａは、第１水平方向において保持部材３００Ａの第２仕切部３３０Ａの外側に位置している。
【００６６】
図９、図１２及び図１３に示されるように、本実施の形態の延長部４６０Ａの夫々には、被規制部４７０Ａが設けられている。より詳しくは、本実施の形態の被規制部４７０Ａは、延長部４６０Ａの上面である。即ち、本実施の形態のコネクタ１００Ａは、４つの被規制部４７０Ａを有している。被規制部４７０Ａは、ロックバネ部４３０に支持されている。被規制部４７０Ａは、保持部材３００Ａの収容部３０５Ａに収容されている。即ち、保持部材３００Ａには、被規制部４７０Ａを収容する収容部３０５Ａが設けられている。被規制部４７０Ａは、第１水平方向において保持部材３００Ａの第２仕切部３３０Ａの外側に位置している。
【００６７】
図９及び図１４を参照すると、本実施の形態の第２部材５００Ａは、導電体からなるものであり、第２被取付部５１０と、変形防止部５３０Ａとを有している。このうち、第２被取付部５１０は、上述の第１の実施の形態のコネクタ１００と同様であるので、詳細な説明は省略する。
【００６８】
図９及び図１４に示されるように、本実施の形態の変形防止部５３０Ａは、第２被取付部５１０から上下方向において下方に向かって延びている。変形防止部５３０Ａは、外側部５３１を有している。外側部５３１は、変形防止部５３０Ａの第１水平方向外端を規定している。外側部５３１は、規制部５３２Ａを有している。より詳しくは、規制部５３２Ａは、外側部５３１の下端である。即ち、本実施の形態の変形防止部５３０Ａには、規制部５３２Ａが設けられている。本実施の形態のコネクタ１００Ａは、４つの規制部５３２Ａを有している。保持部材３００Ａの収容部３０５Ａは、上下方向において規制部５３２Ａの下側に位置している。第１部材４００Ａの被規制部４７０Ａは、上下方向において第２部材５００Ａの変形防止部５３０Ａの外側部５３１の規制部５３２Ａの下側に位置している。より詳しくは、本実施の形態のコネクタ１００Ａにおいて、４つの被規制部４７０Ａは４つの規制部５３２Ａと夫々対応しており、被規制部４７０Ａの夫々は、上下方向において対応する規制部５３２Ａの下方に位置している。規制部５３２Ａは、第１水平方向において保持部材３００Ａの第２仕切部３３０Ａの外側に位置している。規制部５３２Ａは、上下方向において保持部材３００Ａの第２仕切部３３０Ａの上方に位置している。
【００６９】
コネクタ１００Ａと相手側コネクタ７００とが嵌合状態にある場合において、相手側コネクタ７００をコネクタ１００Ａから抜去しようとするときの、コネクタ１００Ａの各部材の動作について以下に詳述する。
【００７０】
図７から図９及び図１４を参照して、コネクタ１００Ａと相手側コネクタ７００との嵌合状態において相手側コネクタ７００をコネクタ１００Ａから抜去しようとすると、コネクタ１００Ａの第１部材４００Ａのロックバネ部４３０が弾性変形して、コネクタ１００Ａの第１部材４００Ａのロック部４５０及び被規制部４７０Ａの夫々は、上下方向における上方と第１水平方向との合成方向に移動する。より詳しくは、コネクタ１００Ａと相手側コネクタ７００との嵌合状態において相手側コネクタ７００をコネクタ１００Ａから抜去しようとすると、コネクタ１００Ａの第１部材４００Ａのロックバネ部４３０が弾性変形して、コネクタ１００Ａの第１部材４００Ａのロック部４５０及び被規制部４７０Ａの夫々は、上下方向における上方と第１水平方向における内方向との合成方向に移動する。
【００７１】
即ち、本実施の形態の第１部材４００Ａは、コネクタ１００Ａと相手側コネクタ７００との嵌合状態において相手側コネクタ７００をコネクタ１００Ａから抜去しようとすると、ロックバネ部４３０が弾性変形して、ロック部４５０及び被規制部４７０Ａの夫々は上下方向における上方と第１水平方向との合成方向に移動するように構成されている。
【００７２】
このとき、ロックバネ部４３０が過大に変形しようとした場合には、第１部材４００Ａの被規制部４７０Ａは、第２部材５００Ａの変形防止部５３０Ａの外側部５３１の規制部５３２Ａに突き当たり、これにより第２部材５００Ａの変形防止部５３０Ａの外側部５３１の規制部５３２Ａは第１部材４００Ａの被規制部４７０Ａの移動を規制する。より詳しくは、ロックバネ部４３０が過大に変形しようとした場合には、第１部材４００Ａの被規制部４７０Ａは、上下方向において第２部材５００Ａの変形防止部５３０Ａの外側部５３１の規制部５３２Ａの下側から規制部５３２Ａに突き当たり、これにより第２部材５００Ａの変形防止部５３０Ａの外側部５３１の規制部５３２Ａは第１部材４００Ａの被規制部４７０Ａの上方への移動を規制することとなる。
【００７３】
即ち、コネクタ１００Ａと相手側コネクタ７００との嵌合状態において相手側コネクタ７００をコネクタ１００Ａから抜去しようとした時にロックバネ部４３０が過大に変形しようとした場合には、被規制部４７０Ａが規制部５３２Ａに突き当たり、規制部５３２Ａは被規制部４７０Ａの移動を規制する。換言すれば、被規制部４７０Ａの移動の範囲は、規制部５３２Ａによって規制されている。より詳しくは、コネクタ１００Ａと相手側コネクタ７００との嵌合状態において相手側コネクタ７００をコネクタ１００Ａから抜去しようとした時にロックバネ部４３０が過大に変形しようとした場合には、被規制部４７０Ａは、上下方向において規制部５３２Ａの下側から規制部５３２Ａに突き当たり、規制部５３２Ａは被規制部４７０Ａの移動を規制することとなる。換言すれば、被規制部４７０Ａの移動の範囲の上限は、規制部５３２Ａによって規制されている。
【００７４】
本実施の形態のコネクタ１００Ａにおいても、第１の実施の形態のコネクタ１００と同様に、第１部材４００Ａの第１被取付部４１０が取り付けられている第１側壁３１０は、第１水平方向と直交しており、第２部材５００Ａの第２被取付部５１０が取り付けられている第２側壁３２０は、第２水平方向と直交している。これにより、第１側壁３１０と第２側壁３２０とが同じ方向に並んでいる場合と比較して、コネクタ１００Ａと相手側コネクタ７００との嵌合状態において相手側コネクタ７００をコネクタ１００Ａから抜去しようとした時にロックバネ部４３０が過大に変形しようとした際に被規制部４７０Ａと規制部５３２Ａとが突き当たる部分をより大きく確保することができるようになっている。
【００７５】
また、本実施の形態のコネクタ１００Ａにおいても、第１の実施の形態のコネクタ１００と同様に、コネクタ１００Ａと相手側コネクタ７００との嵌合状態において相手側コネクタ７００をコネクタ１００Ａから抜去しようした際に、ロック部４５０及び被規制部４７０Ａは、第１水平方向において内側に移動するように構成されている。これにより、本実施の形態のコネクタ１００Ａにおいても、相手側コネクタ７００をコネクタ１００Ａから抜去しようした際に第１部材４００Ａのロックバネ部４３０が変形する方向の先に第２部材５００Ａを配置することができるため、コネクタ１００Ａの構成が容易となっている。
【００７６】
（第３の実施形態）
図１５及び図１９を参照して、本発明の第３の実施の形態によるコネクタ組立体は、コネクタ１００Ｂと、相手側コネクタ７００Ｂとを備えている。
【００７７】
図１５及び図１８から図２０までを参照して、本発明の第３の実施の形態によるコネクタ１００Ｂは、上下方向において、本発明の第３の実施の形態による相手側コネクタ７００Ｂと嵌合可能なものである。即ち、本実施の形態のコネクタ１００Ｂはレセプタクルであり、本実施の形態の相手側コネクタ７００Ｂはプラグである。ここで、本実施の形態における方位及び方向は、第１の実施の形態のものと同じ表現を以下において使用する。コネクタ１００Ｂと相手側コネクタ７００Ｂとの嵌合方法については後述する。
【００７８】
図１９及び図２０に示されるように、本実施の形態の相手側コネクタ７００Ｂは、相手側保持部材７５０Ｂと、２つの相手側端子７１０Ｂと、２つのロック部材７１５とを備えている。
【００７９】
図１９及び図２０に示されるように、本実施の形態の相手側保持部材７５０Ｂは、上下方向において下方に面した端面７５２Ｂを有している。また、相手側保持部材７５０Ｂは、２つのロック部材保持部７５４と、相手側端子保持部７５６とを有している。
【００８０】
図１９及び図２０に示されるように、本実施の形態のロック部材保持部７５４は、略立方体形状を有している。ロック部材保持部７５４は、相手側端子保持部７５６の第１水平方向両端に夫々位置している。ロック部材保持部７５４は、第１水平方向に面した外側面を有している。
【００８１】
図１９及び図２０に示されるように、本実施の形態の相手側端子保持部７５６は、第１水平方向において２つのロック部材保持部７５４を連結している。相手側端子保持部７５６は、第２水平方向に面した２つの外側面を有している。
【００８２】
図１９及び図２０に示されるように、本実施の形態の相手側端子７１０Ｂの夫々は、接触部７１１Ｂと、被固定部７１２Ｂとを有している。本実施の形態の接触部７１１Ｂは、第２水平方向と直交する平板形状を有している。接触部７１１Ｂは、相手側保持部材７５０Ｂの相手側端子保持部７５６の第２水平方向に面した外側面に保持されている。本実施の形態の被固定部７１２Ｂは、相手側保持部材７５０Ｂの相手側端子保持部７５６から第２水平方向における外側に延びている。
【００８３】
図１９及び図２０に示されるように、本実施の形態のロック部材７１５は、相手側保持部材７５０のロック部材保持部７５４の第１水平方向に面した外側面に保持されている。ロック部材７１５の構造については、第１の実施の形態の相手側コネクタ７００のロック部材７１５と同様であるので、同一の参照符号を付して詳細な説明を省略することとする。
【００８４】
図１５に示されるように、本実施の形態のコネクタ１００Ｂは、保持部材３００Ｂと、２つの端子２００Ｂと、２つの第１部材４００Ｂと、４つの第２部材５００Ｂとを備えている。
【００８５】
図１８を参照して、本実施の形態の保持部材３００Ｂは絶縁体からなり、２つの第１側壁３１０Ｂと、４つの第２側壁３２０Ｂと、２つの第３側壁３４０と、底面３２５Ｂとを有している。なお、本発明はこれに限定されず、保持部材３００Ｂは、第１側壁３１０Ｂと、第２側壁３２０Ｂとを少なくとも有していればよい。
【００８６】
図１８に示されるように、本実施の形態の第１側壁３１０Ｂは、保持部材３００Ｂの第１水平方向における両端に夫々位置している。本実施の形態の第１側壁３１０Ｂは、上下方向と直交する第１水平方向と交差している。より詳しくは、第１側壁３１０Ｂの夫々は、第１水平方向と直交している。
【００８７】
図１８に示されるように、本実施の形態の第２側壁３２０Ｂは、保持部材３００Ｂの第２水平方向における両端に位置している。本実施の形態の第２側壁３２０Ｂは、上下方向及び第１水平方向の双方と直交する第２水平方向と交差している。より詳しくは、第２側壁３２０Ｂの夫々は、第２水平方向と直交している。第２側壁３２０Ｂは、第１側壁３１０Ｂの第２水平方向外端から第１水平方向内側に延びている。第１側壁３１０Ｂの第２水平方向外端は、第２側壁３２０Ｂの第１水平方向外端と接続されている。図１７に示されるように、第２側壁３２０Ｂは、第２部材５００の第２被取付部５１０の第２圧入部５１２が圧入される第２被圧入部３２２Ｂを有している。
【００８８】
図１５及び図１８に示されるように、本実施の形態の第３側壁３４０は、第２側壁３２０Ｂと接続されている。即ち、第３側壁３４０の第１水平方向外端は、第２側壁３２０Ｂの第１水平方向内端と接続されている。
【００８９】
図１８に示されるように、本実施の形態の底面３２５Ｂは、上下方向と直交する平板形状を有している。底面３２５Ｂは、第１側壁３１０Ｂの下端、第２側壁３２０Ｂの下端及び第３側壁３４０の下端と接続されている。
【００９０】
図１５及び図１８に示されるように、本実施の形態の保持部材３００Ｂには、４つの収容部３０５Ｂが設けられている。収容部３０５Ｂの夫々は、底面３２５Ｂの上方に位置している。収容部３０５Ｂは、第１側壁３１０Ｂと第２側壁３２０Ｂとの接続部分の近傍に位置している。
【００９１】
図１５及び図１８に示されるように、本実施の形態の保持部材３００Ｂは、端子２００Ｂと、第１部材４００Ｂと、第２部材５００Ｂとを保持している。より詳しくは、端子２００Ｂは、保持部材３００Ｂの第３側壁３４０に保持されている。第１部材４００Ｂは、保持部材３００Ｂの第１側壁３１０Ｂに夫々保持されている。第２部材５００Ｂは、保持部材３００Ｂの第２側壁３２０Ｂに夫々保持されている。
【００９２】
図１８を参照して、本実施の形態の端子２００Ｂは、導電体からなるものであり、第２部材５００Ｂと別体となっている。即ち、本実施の形態の第２部材５００Ｂは、端子２００Ｂを兼ねていない。図１５及び図１９を参照して、本実施の形態の端子２００Ｂは、コネクタ１００Ｂが相手側コネクタ７００Ｂと嵌合したときに相手側端子７１０Ｂと接続されるものである。
【００９３】
図１５から図１８までを参照すると、本実施の形態の第１部材４００Ｂは、導電体からなるものであり、第１被取付部４１０と、ロックバネ部４３０と、突起４４０と、ロック部４５０と、２つの延長部４６０と、２つの被規制部４７０と、被固定部４２０と、連結部４８０とを有している。このうち、連結部４８０以外の構成については第１の実施の形態と同様である。よって、第１の実施の形態と同様の構成については同様の参照符号を用い、詳細な説明は省略する。
【００９４】
図１５から図１８までに示されるように、本実施の形態の連結部４８０は、第１部材４００Ｂの第２水平方向両側に位置している。連結部４８０は、第１部材４００Ｂと第２部材５００Ｂとを互いに連結している。即ち、本実施の形態において、第１部材４００Ｂと第２部材５００Ｂとは一体に形成されている。
【００９５】
図１５及び図１８を参照すると、本実施の形態の第２部材５００Ｂは、導電体からなるものであり、第２被取付部５１０と、変形防止部５３０Ｂとを有している。このうち、第２被取付部５１０については第１の実施の形態と同様であるので、詳細な説明は省略する。また、本実施の形態の変形防止部５３０Ｂは、端子２００Ｂを兼ねていない点を除いて、第１の実施の形態の変形防止部５３０と同様の構成を有している。よって、第１の実施の形態と同様の構成については同様の参照符号を用い、詳細な説明は省略する。
【００９６】
コネクタ１００Ｂと相手側コネクタ７００Ｂとの嵌合方法について以下に詳述する。
【００９７】
図１５及び図１８から図２０までを参照して、まず初めに、コネクタ１００Ｂの保持部材３００Ｂの底面３２５Ｂと相手側コネクタ７００Ｂの相手側保持部材７５０Ｂの端面７５２Ｂとが上下方向において対向し、且つ、コネクタ１００Ｂの第１部材４００Ｂのロックバネ部４３０の突起４４０と相手側コネクタ７００Ｂのロック部材７１５の突起７１８とが上下方向において夫々対向するように、コネクタ１００Ｂと相手側コネクタ７００Ｂとを位置決めする。このとき、相手側コネクタ７００Ｂの相手側端子７１０Ｂは、コネクタ１００Ｂの端子２００Ｂの上方に夫々位置している。
【００９８】
次に、コネクタ１００Ｂに対して相手側コネクタ７００Ｂを下方に移動させると、コネクタ１００Ｂの第１部材４００Ｂのロックバネ部４３０の突起４４０は、相手側コネクタ７００Ｂのロック部材７１５の突起７１８と接触する。
【００９９】
その後、コネクタ１００Ｂに対して相手側コネクタ７００Ｂを更に下方に移動させると、コネクタ１００Ｂの第１部材４００Ｂのロックバネ部４３０は第１水平方向外側に弾性変形し、突起４４０は第１水平方向外側に移動する。この状態で相手側コネクタ７００Ｂの下方への移動を継続すると、コネクタ１００Ｂの夫々の第１部材４００Ｂの突起４４０のロック部４５０は、相手側コネクタ７００Ｂの対応するロック部材７１５の突起７１８の被ロック部７２０と上下方向において同じ位置に達する。
【０１００】
このとき、コネクタ１００Ｂの第１部材４００Ｂのロックバネ部４３０は元の形状に復帰し、突起４４０は第１水平方向における元の位置に帰還する。ここで、コネクタ１００Ｂの夫々の第１部材４００Ｂの突起４４０のロック部４５０は、相手側コネクタ７００Ｂの対応するロック部材７１５の突起７１８の被ロック部７２０と、上下方向において対向している。即ち、コネクタ１００Ｂと相手側コネクタ７００Ｂとは嵌合状態となる。またこのとき、コネクタ１００Ｂの端子２００Ｂは、相手側コネクタ７００Ｂの相手側端子７１０Ｂの接触部７１１Ｂと接触している。即ち、コネクタ１００Ｂの端子２００Ｂは、相手側コネクタ７００Ｂの相手側端子７１０Ｂに夫々接続されている。
【０１０１】
コネクタ１００Ｂと相手側コネクタ７００Ｂとが嵌合状態にある場合において、相手側コネクタ７００Ｂをコネクタ１００Ｂから抜去しようとするときの、コネクタ１００Ｂの各部材の動作について以下に詳述する。
【０１０２】
図１５及び図１８から図２０までを参照して、コネクタ１００Ｂと相手側コネクタ７００Ｂとの嵌合状態において相手側コネクタ７００Ｂをコネクタ１００Ｂから抜去しようとすると、コネクタ１００Ｂの第１部材４００Ｂのロックバネ部４３０が弾性変形して、コネクタ１００Ｂの第１部材４００Ｂのロック部４５０及び被規制部４７０の夫々は、上下方向における上方と第１水平方向との合成方向に移動する。より詳しくは、コネクタ１００Ｂと相手側コネクタ７００Ｂとの嵌合状態において相手側コネクタ７００Ｂをコネクタ１００Ｂから抜去しようとすると、コネクタ１００Ｂの第１部材４００Ｂのロックバネ部４３０が弾性変形して、コネクタ１００Ｂの第１部材４００Ｂのロック部４５０及び被規制部４７０の夫々は、上下方向における上方と第１水平方向における内方向との合成方向に移動する。
【０１０３】
即ち、本実施の形態の第１部材４００Ｂは、コネクタ１００Ｂと相手側コネクタ７００Ｂとの嵌合状態において相手側コネクタ７００Ｂをコネクタ１００Ｂから抜去しようとすると、ロックバネ部４３０が弾性変形して、ロック部４５０及び被規制部４７０の夫々は上下方向における上方と第１水平方向との合成方向に移動するように構成されている。
【０１０４】
このとき、ロックバネ部４３０が過大に変形しようとした場合には、第１部材４００Ｂの被規制部４７０は、第２部材５００Ｂの変形防止部５３０Ｂの規制部５３２に突き当たり、これにより第２部材５００Ｂの変形防止部５３０Ｂの規制部５３２は第１部材４００Ｂの被規制部４７０の移動を規制する。より詳しくは、ロックバネ部４３０が過大に変形しようとした場合には、第１部材４００Ｂの被規制部４７０は、上下方向において第２部材５００Ｂの変形防止部５３０Ｂの規制部５３２の下側から規制部５３２に突き当たり、これにより第２部材５００Ｂの変形防止部５３０Ｂの規制部５３２は第１部材４００Ｂの被規制部４７０の上方への移動を規制することとなる。
【０１０５】
即ち、コネクタ１００Ｂと相手側コネクタ７００Ｂとの嵌合状態において相手側コネクタ７００Ｂをコネクタ１００Ｂから抜去しようとした時にロックバネ部４３０が過大に変形しようとした場合には、被規制部４７０が規制部５３２に突き当たり、規制部５３２は被規制部４７０の移動を規制する。換言すれば、被規制部４７０の移動の範囲は、規制部５３２によって規制されている。より詳しくは、コネクタ１００Ｂと相手側コネクタ７００Ｂとの嵌合状態において相手側コネクタ７００Ｂをコネクタ１００Ｂから抜去しようとした時にロックバネ部４３０が過大に変形しようとした場合には、被規制部４７０は、上下方向において規制部５３２の下側から規制部５３２に突き当たり、規制部５３２は被規制部４７０の移動を規制することとなる。換言すれば、被規制部４７０の移動の範囲の上限は、規制部５３２によって規制されている。
【０１０６】
本実施の形態のコネクタ１００Ｂにおいても、上述の実施の形態のコネクタ１００，１００Ａと同様に、第１部材４００Ｂの第１被取付部４１０が取り付けられている第１側壁３１０Ｂは、第１水平方向と直交しており、第２部材５００Ｂの第２被取付部５１０が取り付けられている第２側壁３２０Ｂは、第２水平方向と直交している。これにより、第１側壁３１０Ｂと第２側壁３２０Ｂとが同じ方向に並んでいる場合と比較して、コネクタ１００Ｂと相手側コネクタ７００Ｂとの嵌合状態において相手側コネクタ７００Ｂをコネクタ１００Ｂから抜去しようとした時にロックバネ部４３０が過大に変形しようとした際に被規制部４７０と規制部５３２とが突き当たる部分をより大きく確保することができるようになっている。
【０１０７】
また、本実施の形態のコネクタ１００Ｂにおいても、上述の実施の形態のコネクタ１００，１００Ａと同様に、コネクタ１００Ｂと相手側コネクタ７００Ｂとの嵌合状態において相手側コネクタ７００Ｂをコネクタ１００Ｂから抜去しようした際に、ロック部４５０及び被規制部４７０は、第１水平方向において内側に移動するように構成されている。これにより、本実施の形態のコネクタ１００Ｂにおいても、相手側コネクタ７００Ｂをコネクタ１００Ｂから抜去しようとした際に第１部材４００Ｂのロックバネ部４３０が変形する方向の先に第２部材５００Ｂを配置することができるため、コネクタ１００Ｂの構成が容易となっている。
【０１０８】
コネクタ１００Ｂの第１部材４００Ｂ及び第２部材５００Ｂの構成は、上述したものには限定されず、例えば、以下のような変形が可能である。
【０１０９】
図２１から図２４までに示されるように、本発明の第１の変形例による第１部材４００Ｃは、第１被取付部４１０と、ロックバネ部４３０と、突起４４０と、ロック部４５０と、２つの延長部４６０Ｃと、２つの被規制部４７０Ｃと、２つの連結部４８０とを有している。ここで、延長部４６０Ｃと被規制部４７０Ｃ以外の構成については第３の実施の形態のものと同様であるので、第３の実施の形態と同様の構成については同様の参照符号を用い、詳細な説明は省略する。また、第１部材４００Ｃと保持部材３００Ｂとの関係については、第３の実施の形態と同様であるので、詳細な説明は省略する。
【０１１０】
図２４に示されるように、本変形例の延長部４６０Ｃは、上下方向に沿って見た場合、略Ｌ字形状を有している。延長部４６０Ｃは、ロックバネ部４３０の第２水平方向両端から第１水平方向内側に向かって夫々延びている。延長部４６０Ｃは、保持部材３００Ｂに設けられている収容部３０５Ｂに収容されている。
【０１１１】
図２１を参照して、本変形例の延長部４６０Ｃの夫々には、被規制部４７０Ｃが設けられている。より詳しくは、被規制部４７０Ｃは、延長部４６０Ｃの上面である。被規制部４７０Ｃは、保持部材３００Ｂに設けられている収容部３０５Ｂに収容されている。
【０１１２】
図２１から図２４までに示されるように、本発明の第１の変形例による第２部材５００Ｃは、第２被取付部５１０と、変形防止部５３０Ｃとを有している。このうち、第２被取付部５１０は、上述の第３の実施の形態と同様であるので、詳細な説明は省略する。また、第２部材５００Ｃと保持部材３００Ｂとの関係については、第３の実施の形態と同様であるので、詳細な説明は省略する。
【０１１３】
図２１に示されるように、本変形例の変形防止部５３０Ｃは、第２被取付部５１０から上下方向において下方に向かって延びている。変形防止部５３０Ｃは、外側部５３１Ｃを有している。外側部５３１Ｃは、変形防止部５３０Ｃの第１水平方向外端を規定している。外側部５３１Ｃは、規制部５３２Ｃを有している。より詳しくは、規制部５３２Ｃは、外側部５３１Ｃの下端である。即ち、本実施の形態の変形防止部５３０Ｃには、規制部５３２Ｃが設けられている。第１部材４００Ｃの被規制部４７０Ｃは、上下方向において第２部材５００Ｃの変形防止部５３０Ｃの外側部５３１Ｃの規制部５３２Ｃの下側に位置している。
【０１１４】
第１部材４００Ｃ及び第２部材５００Ｃを備えたコネクタ（図示せず）と相手側コネクタ７００Ｂとの嵌合方法については、上述した第３の実施の形態と同様であるので、詳細な説明は省略する。
【０１１５】
第１部材４００Ｃ及び第２部材５００Ｃを備えたコネクタ（図示せず）と相手側コネクタ７００Ｂとが嵌合状態にある場合において、相手側コネクタ７００Ｂをコネクタから抜去しようとするときの、コネクタの各部材の動作についても、上述した第３の実施の形態と同様であるので、詳細な説明は省略する。
【０１１６】
図２５から図２８までに示されるように、本発明の第２の変形例による第１部材４００Ｄは、第１被取付部４１０と、ロックバネ部４３０と、突起４４０と、ロック部４５０と、２つの延長部４６０Ｄと、２つの被規制部４７０Ｄと、連結部４８０とを有している。ここで、延長部４６０Ｄと被規制部４７０Ｄ以外の構成については第３の実施の形態のものと同様であるので、第３の実施の形態と同様の構成については同様の参照符号を用い、詳細な説明は省略する。また、第１部材４００Ｄと保持部材３００Ｂとの関係については、第３の実施の形態と同様であるので、詳細な説明は省略する。
【０１１７】
図２５から図２８までに示されるように、本変形例の延長部４６０Ｄは、第１水平方向と交差する略平板形状を有している。本実施の形態の延長部４６０Ｄは、ロックバネ部４３０の第２水平方向両端から第２水平方向外側に夫々延びている。延長部４６０Ｄの夫々は、ロックバネ部４３０に支持されている。延長部４６０Ｄは、保持部材３００Ｂに設けられている収容部３０５Ｂに収容されている。
【０１１８】
図２５から図２８までに示されるように、本実施の形態の延長部４６０Ｄの夫々には、被規制部４７０Ｄが設けられている。より詳しくは、本実施の形態の被規制部４７０Ｄは、延長部４６０Ｄの第１水平方向における内面である。被規制部４７０Ｄは、ロックバネ部４３０に支持されている。被規制部４７０Ｄは、保持部材３００Ｂに設けられている収容部３０５Ｂに収容されている。
【０１１９】
図２５から図２８までに示されるように、本発明の第２の変形例による第２部材５００Ｄは、第２被取付部５１０と、変形防止部５３０Ｄとを有している。このうち、第２被取付部５１０は、上述の第３の実施の形態と同様であるので、詳細な説明は省略する。また、第２部材５００Ｄと保持部材３００Ｂとの関係については、規制部５３２Ｄを除いて第３の実施の形態と同様であるので、詳細な説明は省略する。
【０１２０】
図２５から図２８までに示されるように、本変形例の変形防止部５３０Ｄは、第２被取付部５１０から上下方向において下方に向かって延びている。変形防止部５３０Ｄには、規制部５３２Ｄが設けられている。より詳しくは、本変形例の規制部５３２Ｄは、変形防止部５３０Ｄの第１水平方向外端面の一部である。規制部５３２Ｄは、変形防止部５３０Ｄの下端付近に位置している。第１部材４００Ｄの被規制部４７０Ｄは、第１水平方向において第２部材５００Ｄの規制部５３２Ｄと対向している。より詳しくは、第１部材４００Ｄの被規制部４７０Ｄは、第１水平方向において第２部材５００Ｄの規制部５３２Ｄの外側に位置している。ここで、保持部材３００Ｂに設けられている収容部３０５Ｂは、第１水平方向において第２部材５００Ｄの変形防止部５３０Ｄの規制部５３２Ｄに隣接している。より詳しくは、収容部３０５Ｂは、第１水平方向において第２部材５００Ｄの変形防止部５３０Ｄの規制部５３２Ｄの外側に隣接している。
【０１２１】
第１部材４００Ｄ及び第２部材５００Ｄを備えたコネクタ（図示せず）と相手側コネクタ７００Ｂとの嵌合方法については、上述した第３の実施の形態と同様であるので、詳細な説明は省略する。
【０１２２】
第１部材４００Ｄ及び第２部材５００Ｄを備えたコネクタ（図示せず）と相手側コネクタ７００Ｂとが嵌合状態にある場合において、相手側コネクタ７００Ｂをコネクタから抜去しようとするときの、コネクタの各部材の動作について以下に詳述する。
【０１２３】
図２５から図２８までを参照して、第１部材４００Ｄ及び第２部材５００Ｄを備えたコネクタと相手側コネクタ７００Ｂとの嵌合状態において相手側コネクタ７００Ｂをコネクタから抜去しようとすると、コネクタの第１部材４００Ｄのロックバネ部４３０が弾性変形して、コネクタの第１部材４００Ｄのロック部４５０及び被規制部４７０Ｄの夫々は、上下方向における上方と第１水平方向との合成方向に移動する。より詳しくは、コネクタと相手側コネクタ７００Ｂとの嵌合状態において相手側コネクタ７００Ｂをコネクタから抜去しようとすると、コネクタの第１部材４００Ｄのロックバネ部４３０が弾性変形して、コネクタの第１部材４００Ｄのロック部４５０及び被規制部４７０Ｄの夫々は、上下方向における上方と第１水平方向における内方向との合成方向に移動する。
【０１２４】
即ち、本実施の形態の第１部材４００Ｄは、コネクタと相手側コネクタ７００Ｂとの嵌合状態において相手側コネクタ７００Ｂをコネクタから抜去しようとすると、ロックバネ部４３０が弾性変形して、ロック部４５０及び被規制部４７０Ｄの夫々は上下方向における上方と第１水平方向との合成方向に移動するように構成されている。
【０１２５】
このとき、ロックバネ部４３０が過大に変形しようとした場合には、第１部材４００Ｄの被規制部４７０Ｄは、第２部材５００Ｄの変形防止部５３０Ｄの規制部５３２Ｄに突き当たり、これにより第２部材５００Ｄの変形防止部５３０Ｄの規制部５３２Ｄは第１部材４００Ｄの被規制部４７０Ｄの移動を規制する。より詳しくは、ロックバネ部４３０が過大に変形しようとした場合には、第１部材４００Ｄの被規制部４７０Ｄは、第１水平方向において第２部材５００Ｄの変形防止部５３０Ｄの規制部５３２Ｄの外側から規制部５３２Ｄに突き当たり、これにより第２部材５００Ｄの変形防止部５３０Ｄの規制部５３２Ｄは第１部材４００Ｄの被規制部４７０Ｄの第１水平方向内側への移動を規制することとなる。
【０１２６】
即ち、第１部材４００Ｄ及び第２部材５００Ｄを備えたコネクタと相手側コネクタ７００Ｂとの嵌合状態において相手側コネクタ７００Ｂをコネクタから抜去しようとした時にロックバネ部４３０が過大に変形しようとした場合には、被規制部４７０Ｄが規制部５３２Ｄに突き当たり、規制部５３２Ｄは被規制部４７０Ｄの移動を規制する。換言すれば、被規制部４７０Ｄの移動の範囲は、規制部５３２Ｄによって規制されている。より詳しくは、コネクタと相手側コネクタ７００Ｂとの嵌合状態において相手側コネクタ７００Ｂをコネクタから抜去しようとした時にロックバネ部４３０が過大に変形しようとした場合には、被規制部４７０Ｄは、第１水平方向において規制部５３２Ｄに突き当たり、規制部５３２Ｄは被規制部４７０Ｄの移動を規制することとなる。換言すれば、被規制部４７０Ｄの移動の第１水平方向における範囲は、規制部５３２Ｄによって規制されている。
【０１２７】
（第４の実施形態）
図２９及び図３２を参照して、本発明の第４の実施の形態によるコネクタ組立体は、コネクタ１００Ｅと、相手側コネクタ（図示せず）とを備えている。
【０１２８】
図２９及び図３２を参照して、本発明の第４の実施の形態によるコネクタ１００Ｅは、上下方向において、本発明の相手側コネクタ（図示せず）と嵌合可能なものである。即ち、本実施の形態のコネクタ１００Ｅはレセプタクルであり、本実施の形態の相手側コネクタはプラグである。本実施の形態において、上下方向はＺ方向である。ここで、上方を＋Ｚ方向、下方を−Ｚ方向とする。コネクタ１００Ｅと相手側コネクタとの嵌合方法については、ロック部及び被ロック部の個数及び配置が異なる点を除いて、上述の第３の実施の形態のコネクタ１００Ｂと相手側コネクタ７００Ｂの嵌合方法と同様であり、詳細な説明は省略する。
【０１２９】
図２９に示されるように、本実施の形態のコネクタ１００Ｅは、保持部材３００Ｅと、２つの端子２００Ｂと、４つの第１部材４００Ｅと、２つの第２部材５００Ｅとを備えている。ここで、端子２００Ｂは、第３の実施の形態と同様であり、詳細な説明は省略する。
【０１３０】
図２９を参照して、本実施の形態の保持部材３００Ｅは絶縁体からなり、４つの第１側壁３１０Ｅと、２つの第２側壁３２０Ｅと、２つの第３側壁３４０Ｅと、底面３２５Ｅとを有している。なお、本発明はこれに限定されず、保持部材３００Ｅは、第１側壁３１０Ｅと、第２側壁３２０Ｅとを少なくとも有していればよい。
【０１３１】
図３１及び図３２に示されるように、本実施の形態の第１側壁３１０Ｅは、保持部材３００Ｅの第１水平方向における両端に位置している。本実施の形態の第１側壁３１０Ｅは、上下方向と直交する第１水平方向と交差している。より詳しくは、第１側壁３１０Ｅの夫々は、第１水平方向と直交している。第１側壁３１０Ｅは、第２側壁３２０Ｅの第１水平方向外端から第２水平方向内側に延びている。第１側壁３１０Ｅの第２水平方向外端は、第２側壁３２０Ｅの第１水平方向外端と接続されている。図３１に示されるように、第１側壁３１０Ｅは、第１被圧入部３１２Ｅを有している。本実施の形態において、第１水平方向はＸ方向であり、第２水平方向はＹ方向である。
【０１３２】
図３０及び図３２に示されるように、本実施の形態の第２側壁３２０Ｅは、保持部材３００Ｅの第２水平方向における両端に夫々位置している。本実施の形態の第２側壁３２０Ｅは、上下方向及び第１水平方向の双方と直交する第２水平方向と交差している。より詳しくは、第２側壁３２０Ｅの夫々は、第２水平方向と直交している。第２側壁３２０Ｅは、第１側壁３１０Ｅの第２水平方向外端から第１水平方向内側に延びている。
【０１３３】
図２９及び図３２に示されるように、本実施の形態の第３側壁３４０Ｅは、第１側壁３１０Ｅに接続されている。即ち、第３側壁３４０Ｅの第２水平方向外端は、第１側壁３１０Ｅの第２水平方向内端と接続されている。
【０１３４】
図２９及び図３２に示されるように、本実施の形態の底面３２５Ｅは、上下方向と直交する平板形状を有している。底面３２５Ｅは、第１側壁３１０Ｅの下端、第２側壁３２０Ｅの下端及び第３側壁３４０Ｅの下端と接続されている。
【０１３５】
図３２に示されるように、本実施の形態の保持部材３００Ｅには、４つの収容部３０５Ｅが設けられている。収容部３０５Ｅの夫々は、底面３２５Ｅの上方に位置している。収容部３０５Ｅは、第１側壁３１０Ｅと第２側壁３２０Ｅとの接続部分の近傍に位置している。
【０１３６】
図２９及び図３２に示されるように、本実施の形態の保持部材３００Ｅは、端子２００Ｂと、第１部材４００Ｅと、第２部材５００Ｅとを保持している。より詳しくは、端子２００Ｂは、保持部材３００Ｅの第３側壁３４０Ｅに夫々保持されている。第１部材４００Ｅは、保持部材３００Ｅの第１側壁３１０Ｅに夫々保持されている。第２部材５００Ｅは、保持部材３００Ｅの第２側壁３２０Ｅに夫々保持されている。
【０１３７】
図２９から図３２までに示されるように、本実施の形態の第１部材４００Ｅは、第１被取付部４１０Ｅと、ロックバネ部４３０Ｅと、突起４４０Ｅと、ロック部４５０Ｅと、延長部４６０Ｅと、被規制部４７０Ｅと、連結部４８０Ｅとを有している。
【０１３８】
図２９及び図３１に示されるように、本実施の形態の第１被取付部４１０Ｅは、上下方向に延びている。第１被取付部４１０Ｅは、第２水平方向外側に延びる第１圧入部４１２Ｅを有している。本実施の形態の第１被取付部４１０Ｅは、保持部材３００Ｅの第１側壁３１０Ｅに取り付けられている。より詳しくは、第１部材４００Ｅの第１被取付部４１０Ｅの第１圧入部４１２Ｅは、対応する第１側壁３１０Ｅの第１被圧入部３１２Ｅに圧入されている。
【０１３９】
図２９及び図３２に示されるように、本実施の形態のロックバネ部４３０Ｅは、第１被取付部４１０Ｅから第１水平方向に延びると共に上下方向において下方に向かって延びている。より詳しくは、本実施の形態のロックバネ部４３０Ｅは、第１被取付部４１０Ｅから第１水平方向において内側に延びると共に上下方向において下方に向かって延びている。
【０１４０】
図２９及び図３２に示されるように、本実施の形態の突起４４０Ｅは、ロックバネ部４３０Ｅから第１水平方向において内側に突出している。即ち、突起４４０Ｅは、ロックバネ部４３０Ｅに支持されている。突起４４０Ｅは、ロック部４５０Ｅを有している。より詳しくは、ロック部４５０Ｅは、突起４４０Ｅの下面である。
【０１４１】
図２９から図３２に示されるように、本実施の形態のロック部４５０Ｅは、ロックバネ部４３０Ｅに支持されている。本実施の形態のロック部４５０Ｅは、コネクタ１００Ｅが相手側コネクタ（図示せず）と嵌合したときにロック部材の被ロック部と共にその嵌合状態をロックするものである。
【０１４２】
図２９及び図３２に示されるように、本実施の形態の延長部４６０Ｅは、第１水平方向と交差する略平板形状を有している。本実施の形態の延長部４６０Ｅは、ロックバネ部４３０Ｅの第２水平方向外端から第２水平方向外側に延びている。延長部４６０Ｅは、ロックバネ部４３０Ｅに支持されている。延長部４６０Ｅは、上下方向において保持部材３００Ｅの底面３２５Ｅの上方に位置している。延長部４６０Ｅは、保持部材３００Ｅの収容部３０５Ｅに収容されている。
【０１４３】
図２９及び図３２に示されるように、本実施の形態の延長部４６０Ｅの夫々には、被規制部４７０Ｅが設けられている。より詳しくは、本実施の形態の被規制部４７０Ｅは、延長部４６０Ｅの上面である。即ち、本実施の形態のコネクタ１００Ｅは、４つの被規制部４７０Ｅを有している。被規制部４７０Ｅは、ロックバネ部４３０Ｅに支持されている。被規制部４７０Ｅは、保持部材３００Ｅの収容部３０５Ｅに収容されている。即ち、保持部材３００Ｅには、被規制部４７０Ｅを収容する収容部３０５Ｅが設けられている。
【０１４４】
図２９から図３２までに示されるように、本実施の形態の連結部４８０Ｅは、第２部材５００Ｅの第１水平方向両側に位置している。連結部４８０Ｅは、第１部材４００Ｅと第２部材５００Ｅとを互いに連結している。即ち、本実施の形態において、第１部材４００Ｅと第２部材５００Ｅとは一体に形成されている。
【０１４５】
図２９及び図３２に示されるように、本実施の形態の第２部材５００Ｅは、第２被取付部５１０Ｅと、変形防止部５３０Ｅとを有している。
【０１４６】
図２９及び図３２に示されるように、本実施の形態の第２被取付部５１０Ｅは、上下方向に延びている。本実施の形態の第２被取付部５１０Ｅは、保持部材３００Ｅの第２側壁３２０Ｅに取り付けられている。
【０１４７】
図２９及び図３２に示されるように、本実施の形態の変形防止部５３０Ｅは、第２被取付部５１０Ｅから上下方向において下方に向かって延びている。変形防止部５３０Ｅは、外側部５３１Ｅを有している。外側部５３１Ｅは、変形防止部５３０Ｅの第１水平方向外端を規定している。外側部５３１Ｅは、規制部５３２Ｅを有している。より詳しくは、規制部５３２Ｅは、外側部５３１Ｅの下端である。即ち、本実施の形態の変形防止部５３０Ｅには、規制部５３２Ｅが設けられている。本実施の形態のコネクタ１００Ｅは、４つの規制部５３２Ｅを有している。保持部材３００Ｅの収容部３０５Ｅは、上下方向において第２部材５００Ｅの変形防止部５３０Ｅの外側部５３１Ｅの規制部５３２Ｅの下側に位置している。第１部材４００Ｅの被規制部４７０Ｅは、上下方向において第２部材５００Ｅの変形防止部５３０Ｅの外側部５３１Ｅの規制部５３２Ｅの下側に位置している。より詳しくは、本実施のコネクタ１００Ｅにおいて、４つの被規制部４７０Ｅは４つの規制部５３２Ｅと夫々対応しており、被規制部４７０Ｅの夫々は、上下方向において対応する規制部５３２Ｅの下方に位置している。
【０１４８】
コネクタ１００Ｅと相手側コネクタとが嵌合状態にある場合において、相手側コネクタをコネクタ１００Ｅから抜去しようとするときの、コネクタ１００Ｅの各部材の動作について以下に詳述する。
【０１４９】
図２９及び図３２を参照して、コネクタ１００Ｅと相手側コネクタとの嵌合状態において相手側コネクタをコネクタ１００Ｅから抜去しようとすると、コネクタ１００Ｅの第１部材４００Ｅのロックバネ部４３０Ｅが弾性変形して、コネクタ１００Ｅの第１部材４００Ｅのロック部４５０Ｅ及び被規制部４７０Ｅの夫々は、上下方向における上方と第１水平方向との合成方向に移動する。より詳しくは、コネクタ１００Ｅと相手側コネクタとの嵌合状態において相手側コネクタをコネクタ１００Ｅから抜去しようとすると、コネクタ１００Ｅの第１部材４００Ｅのロックバネ部４３０Ｅが弾性変形して、コネクタ１００Ｅの第１部材４００Ｅのロック部４５０Ｅ及び被規制部４７０Ｅの夫々は、上下方向における上方と第１水平方向における内方向との合成方向に移動する。
【０１５０】
即ち、本実施の形態の第１部材４００Ｅは、コネクタ１００Ｅと相手側コネクタとの嵌合状態において相手側コネクタをコネクタ１００Ｅから抜去しようとすると、ロックバネ部４３０Ｅが弾性変形して、ロック部４５０Ｅ及び被規制部４７０Ｅの夫々は、上下方向における上方と第１水平方向との合成方向に移動するように構成されている。
【０１５１】
このとき、ロックバネ部４３０Ｅが過大に変形しようとした場合には、第１部材４００Ｅの被規制部４７０Ｅは、第２部材５００Ｅの変形防止部５３０Ｅの外側部５３１Ｅの規制部５３２Ｅに突き当たり、これにより第２部材５００Ｅの変形防止部５３０Ｅの外側部５３１Ｅの規制部５３２Ｅは第１部材４００Ｅの被規制部４７０Ｅの移動を規制する。より詳しくは、ロックバネ部４３０Ｅが過大に変形しようとした場合には、第１部材４００Ｅの被規制部４７０Ｅは、上下方向において第２部材５００Ｅの変形防止部５３０Ｅの外側部５３１Ｅの規制部５３２Ｅの下側から規制部５３２Ｅに突き当たり、これにより第２部材５００Ｅの変形防止部５３０Ｅの外側部５３１Ｅの規制部５３２Ｅは第１部材４００Ｅの被規制部４７０Ｅの上方への移動を規制することとなる。
【０１５２】
即ち、コネクタ１００Ｅと相手側コネクタとの嵌合状態において相手側コネクタをコネクタ１００Ｅから抜去しようとした時にロックバネ部４３０Ｅが過大に変形しようとした場合には、被規制部４７０Ｅが規制部５３２Ｅに突き当たり、規制部５３２Ｅは被規制部４７０Ｅの移動を規制する。換言すれば、被規制部４７０Ｅの移動の範囲は、規制部５３２Ｅによって規制されている。より詳しくは、コネクタ１００Ｅと相手側コネクタとの嵌合状態において相手側コネクタをコネクタ１００Ｅから抜去しようとした時にロックバネ部４３０Ｅが過大に変形しようとした場合には、被規制部４７０Ｅは、上下方向において規制部５３２Ｅの下側から規制部５３２Ｅに突き当たり、規制部５３２Ｅは被規制部４７０Ｅの移動を規制することとなる。換言すれば、被規制部４７０Ｅの移動の範囲の上限は、規制部５３２Ｅによって規制されている。
【０１５３】
本実施の形態のコネクタ１００Ｅにおいても、上述の実施の形態のコネクタ１００，１００Ａ，１００Ｂと同様に、第１部材４００Ｅの第１被取付部４１０Ｅが取り付けられている第１側壁３１０Ｅは、第１水平方向と直交しており、第２部材５００Ｅの第２被取付部５１０Ｅが取り付けられている第２側壁３２０Ｅは、第２水平方向と直交している。これにより、第１側壁３１０Ｅと第２側壁３２０Ｅとが同じ方向に並んでいる場合と比較して、コネクタ１００Ｅと相手側コネクタとの嵌合状態において相手側コネクタをコネクタ１００Ｅから抜去しようとした時にロックバネ部４３０Ｅが過大に変形しようとした際に被規制部４７０Ｅと規制部５３２Ｅとが突き当たる部分をより大きく確保することができるようになっている。
【０１５４】
また、本実施の形態のコネクタ１００Ｅにおいても、上述の実施の形態のコネクタ１００，１００Ａ，１００Ｂと同様に、コネクタ１００Ｅと相手側コネクタとの嵌合状態において相手側コネクタをコネクタ１００Ｅから抜去しようした際に、ロック部４５０Ｅ及び被規制部４７０Ｅは、第１水平方向において内側に移動するように構成されている。これにより、本実施の形態のコネクタ１００Ｅにおいても、相手側コネクタをコネクタ１００Ｅから抜去しようした際に第１部材４００Ｅのロックバネ部４３０Ｅが変形する方向の先に第２部材５００Ｅを配置することができるため、コネクタ１００Ｅの構成が容易となっている。
【０１５５】
（第５の実施形態）
図３３から図３５までを参照して、本発明の第５実施の形態によるコネクタ組立体は、コネクタ７００Ｆと、相手側コネクタ（図示せず）とを備えている。
【０１５６】
図３３から図３５までを参照して、本発明の第５の実施の形態によるコネクタ７００Ｆは、上下方向において、本発明の実施の形態による相手側コネクタ（図示せず）と嵌合可能なものである。即ち、本実施の形態のコネクタ７００Ｆはプラグであり、本実施の形態の相手側コネクタはレセプタクルである。本実施の形態において、上下方向はＺ方向である。ここで、上方を−Ｚ方向、下方を＋Ｚ方向とする。コネクタ７００Ｆと相手側コネクタとの嵌合方法については後述する。
【０１５７】
本実施の形態の相手側コネクタ（図示せず）は、上面を有する相手側保持部材と、相手側端子と、ロック部材とを備えている。本実施の形態のロック部材は、突起を有している。突起は、第１水平方向内側に突出しており、被ロック部を有している。より詳しくは、被ロック部は、突起の上面である。即ち、本実施の形態の相手側コネクタは、相手側端子と、被ロック部とを備えている。本実施の形態において、第１水平方向は、Ｙ方向である。
【０１５８】
図３３から図３５までに示されるように、本実施の形態のコネクタ７００Ｆは、保持部材７５０Ｆと、端子７１０Ｆと、第１部材７１６と、第２部材７３８とを備えている。
【０１５９】
図３３から図３５までに示されるように、本実施の形態の保持部材７５０Ｆは、端子７１０Ｆと、第１部材７１６と、第２部材７３８とを保持している。本実施の形態の保持部材７５０Ｆは、２つの第１側壁７５７と、２つの第２側壁７５８と、端面７５２Ｆとを有している。なお本発明はこれに限定されず、保持部材７５０Ｆは、第１側壁７５７と、第２側壁７５８とを少なくとも有していればよい。
【０１６０】
図３３から図３５までに示されるように、本実施の形態の第１側壁７５７は、上下方向と直交する第１水平方向と交差している。より詳しくは、第１側壁７５７の夫々は、第１水平方向と直交している。本実施の形態の第２側壁７５８は、上下方向及び第１水平方向の双方と直交する第２水平方向と交差している。より詳しくは、第２側壁７５８の夫々は、第２水平方向と直交している。本実施の形態において、第２水平方向はＸ方向である。
【０１６１】
図３３から図３５までに示されるように、本実施の形態の端面７５２Ｆは、コネクタ７００Ｆの上端面である。
【０１６２】
図３３から図３５までに示されるように、本実施の形態の端子７１０Ｆは、コネクタ７００Ｆと相手側コネクタ（図示せず）とが嵌合した嵌合状態において、相手側コネクタの相手側端子（図示せず）と接続されるものである。本実施の形態の端子７１０Ｆの夫々は、導電体からなるものであり、接触部７１１Ｆと、被固定部７１２Ｆとを有している。接触部７１１Ｆは、第２水平方向と直交する平板形状を有している。接触部７１１Ｆは、保持部材７５０Ｆの第２側壁７５８に保持されている。本実施の形態の被固定部７１２Ｆは、上下方向と直交する平板形状を有している。被固定部７１２Ｆは、保持部材７５０Ｆの第２側壁７５８から第２水平方向外側に延びている。
【０１６３】
図３３から図３５までに示されるように、本実施の形態の第１部材７１６の夫々は、第１被取付部７１９と、ロックバネ部７１７と、突起７１８Ｆと、ロック部７２０Ｆと、延長部７３０と、被規制部７３２とを有している。
【０１６４】
図３３から図３５までに示されるように、本実施の形態の第１被取付部７１９は、保持部材７５０Ｆの第１側壁７５７に取り付けられている。
【０１６５】
図３３から図３５までに示されるように、本実施の形態のロックバネ部７１７は、第１被取付部７１９から第１水平方向に延びると共に上下方向において下方に向かって延びている。より詳しくは、本実施の形態のロックバネ部７１７は、第１被取付部７１９から第１水平方向において外側に延びると共に上下方向において下方に向かって延びている。
【０１６６】
図３３から図３５までを参照して、本実施の形態の突起７１８Ｆは、ロックバネ部７１７から第１水平方向において外側に突出している。即ち、突起７１８Ｆは、ロックバネ部７１７に支持されている。突起７１８Ｆは、ロック部７２０Ｆを有している。より詳しくは、ロック部７２０Ｆは、突起７１８Ｆの下面である。
【０１６７】
図３３から図３５までを参照して、本実施の形態のロック部７２０Ｆは、ロックバネ部７１７に支持されている。本実施の形態のロック部７２０Ｆは、コネクタ７００Ｆが相手側コネクタと嵌合したときに被ロック部と共にその嵌合状態をロックするものである。
【０１６８】
図３３から図３５までを参照して、本実施の形態の延長部７３０は、第１水平方向と交差する略平板形状を有している。本実施の形態の延長部７３０は、ロックバネ部７１７の下端であって第２水平方向両端から第２水平方向外側に夫々延びている。延長部７３０の夫々は、ロックバネ部７１７に支持されている。
【０１６９】
図３３から図３５までに示されるように、本実施の形態の延長部７３０の夫々には、被規制部７３２が設けられている。より詳しくは、本実施の形態の被規制部７３２は、延長部７３０の上面である。即ち、本実施の形態のコネクタ７００Ｆは、４つの被規制部７３２を有している。被規制部７３２は、ロックバネ部７１７に支持されている。
【０１７０】
図３３から図３５までに示されるように、本実施の形態の第２部材７３８は、第２被取付部７４１と、変形防止部７３９とを有している。
【０１７１】
図３３から図３５までに示されるように、本実施の形態の第２被取付部７４１は、保持部材７５０Ｆの第２側壁７５８に取り付けられている。
【０１７２】
図３３から図３５までに示されるように、本実施の形態の変形防止部７３９は、第２被取付部７４１から上下方向において下方に向かって延びている。変形防止部７３９には、規制部７４０が設けられている。より具体的には、規制部７４０は変形防止部７３９の下面である。
【０１７３】
コネクタ７００Ｆと相手側コネクタとの嵌合方法について以下に詳述する。
【０１７４】
図３３から図３５までを参照して、まず初めに、コネクタ７００Ｆの保持部材７５０Ｆの端面７５２Ｆと相手側コネクタの相手側保持部材の上面とが上下方向において対向し、且つ、コネクタ７００Ｆの第１部材７１６のロックバネ部７１７の突起７１８Ｆと相手側コネクタのロック部材の突起とが上下方向において夫々対向するように、コネクタ７００Ｆと相手側コネクタとを位置決めする。このとき、コネクタ７００Ｆの端子７１０Ｆは、相手側コネクタの相手側端子の下方に夫々位置している。
【０１７５】
次に、コネクタ７００Ｆに対して相手側コネクタを下方に移動させると、コネクタ７００Ｆの第１部材７１６のロックバネ部７１７の突起７１８Ｆは、相手側コネクタのロック部材の突起と接触する。
【０１７６】
その後、コネクタ７００Ｆに対して相手側コネクタを更に下方に移動させると、コネクタ７００Ｆの第１部材７１６のロックバネ部７１７は第１水平方向内側に弾性変形し、突起７１８Ｆは第１水平方向内側に移動する。この状態で相手側コネクタの下方への移動を継続すると、コネクタ７００Ｆの夫々の第１部材７１６の突起７１８Ｆのロック部７２０Ｆは、相手側コネクタの対応するロック部材の突起の被ロック部と上下方向において同じ位置に達する。
【０１７７】
このとき、コネクタ７００Ｆの第１部材７１６のロックバネ部７１７は元の形状に復帰し、突起７１８Ｆは第１水平方向における元の位置に帰還する。ここで、コネクタ７００Ｆの夫々の第１部材７１６の突起７１８Ｆのロック部７２０Ｆは、相手側コネクタの対応するロック部材の突起の被ロック部と、上下方向において対向している。即ち、コネクタ７００Ｆと相手側コネクタとは嵌合状態となる。またこのとき、コネクタ７００Ｆの端子７１０Ｆの接触部７１１Ｆは、相手側コネクタの相手側端子の接触部と接触している。即ち、コネクタ７００Ｆの端子７１０Ｆは、相手側コネクタの相手側端子に夫々接続されている。
【０１７８】
コネクタ７００Ｆと相手側コネクタとが嵌合状態にある場合において、相手側コネクタをコネクタ７００Ｆから抜去しようとするときの、コネクタ７００Ｆの各部材の動作について以下に詳述する。
【０１７９】
図３３から図３５までを参照して、コネクタ７００Ｆと相手側コネクタとの嵌合状態において相手側コネクタをコネクタ７００Ｆから抜去しようとすると、ロックバネ部７１７が弾性変形して、ロック部７２０Ｆ及び被規制部７３２の夫々は、上下方向における上方と第１水平方向との合成方向に移動する。即ち、コネクタ７００Ｆと相手側コネクタとの嵌合状態において相手側コネクタをコネクタ７００Ｆから抜去しようとすると、ロックバネ部７１７が弾性変形して、ロック部７２０Ｆ及び被規制部７３２の夫々は、上下方向における上方と第１水平方向における外方向との合成方向に移動する。
【０１８０】
即ち、本実施の形態の第１部材７１６は、コネクタ７００Ｆと相手側コネクタとの嵌合状態において相手側コネクタをコネクタ７００Ｆから抜去しようとすると、ロックバネ部７１７が弾性変形して、ロック部７２０Ｆ及び被規制部７３２の夫々は上下方向における上方と第１水平方向との合成方向に移動するように構成されている。
【０１８１】
このとき、ロックバネ部７１７が過大に変形しようとした場合には、第１部材７１６の被規制部７３２は、第２部材７３８の変形防止部７３９の規制部７４０に突き当たり、これにより第２部材７３８の変形防止部７３９の規制部７４０は第１部材７１６の被規制部７３２の移動を規制する。より詳しくは、ロックバネ部７１７が過大に変形しようとした場合には、第１部材７１６の被規制部７３２は、上下方向において第２部材７３８の変形防止部７３９の規制部７４０の下側から規制部７４０に突き当たり、これにより第２部材７３８の変形防止部７３９の規制部７４０は第１部材７１６の被規制部７３２の上方への移動を規制することとなる。
【０１８２】
即ち、コネクタ７００Ｆと相手側コネクタとの嵌合状態において相手側コネクタをコネクタ７００Ｆから抜去しようとした時にロックバネ部７１７が過大に変形しようとした場合には、被規制部７３２が規制部７４０に突き当たり、規制部７４０は被規制部７３２の移動を規制する。換言すれば、被規制部７３２の移動の範囲は、規制部７４０によって規制されている。より詳しくは、コネクタ７００Ｆと相手側コネクタとの嵌合状態において相手側コネクタをコネクタ７００Ｆから抜去しようとした時にロックバネ部７１７が過大に変形しようとした場合には、被規制部７３２は、上下方向において規制部７４０の下側から規制部７４０に突き当たり、規制部７４０は被規制部７３２の移動を規制することとなる。換言すれば、被規制部７３２の移動の範囲の上限は、規制部７４０によって規制されている。
【０１８３】
以上、本発明について実施の形態を掲げて具体的に説明してきたが、本発明はこれに限定されるわけではなく、種々の変形が可能である。
【０１８４】
本実施の形態のロック部４５０，４５０Ｅ，７２０Ｆは、突起４４０，４４０Ｅ，７１８Ｆの下面であったが、本発明はこれに限定されない。即ち、ロック部４５０，４５０Ｅ，７２０Ｆは、凹部であってもよいし、ロックバネ部４３０，４３０Ｅ，７１７を貫通する孔でであってもよい。
【符号の説明】
【０１８５】
１００，１００Ａ，１００Ｂ，１００Ｅ        コネクタ
２００，２００Ｂ                            端子
３００，３００Ａ，３００Ｂ，３００Ｅ        保持部材
３０５，３０５Ａ，３０５Ｂ，３０５Ｅ        収容部
３１０，３１０Ｂ，３１０Ｅ                  第１側壁
３１２，３１２Ｅ                            第１被圧入部
３２０，３２０Ｂ，３２０Ｅ                  第２側壁
３２２，３２２Ｂ                            第２被圧入部
３２５，３２５Ｂ，３２５Ｅ                  底面
３２７                                      第１仕切部
３３０，３３０Ａ                            第２仕切部
３４０，３４０Ｅ                            第３側壁
４００，４００Ａ，４００Ｂ，４００Ｃ，４００Ｄ，４００Ｅ        第１部材
４１０，４１０Ｅ                            第１被取付部
４１２，４１２Ｅ                            第１圧入部
４２０                                      被固定部
４３０，４３０Ｅ                            ロックバネ部
４４０，４４０Ｅ                            突起
４５０，４５０Ｅ                            ロック部
４６０，４６０Ａ，４６０Ｃ，４６０Ｄ，４６０Ｅ        延長部
４７０，４７０Ａ，４７０Ｃ，４７０Ｄ，４７０Ｅ        被規制部
４８０，４８０Ｅ                            連結部
５００，５００Ａ，５００Ｂ，５００Ｃ，５００Ｄ，５００Ｅ        第２部材
５１０，５１０Ｅ                            第２被取付部
５１２                                      第２圧入部
５３０，５３０Ａ，５３０Ｂ，５３０Ｃ，５３０Ｄ，５３０Ｅ        変形防止部
５３１，５３１Ｃ，５３１Ｅ                                      外側部
５３２，５３２Ａ，５３２Ｃ，５３２Ｄ，５３２Ｅ        規制部
７００，７００Ｂ                            相手側コネクタ
７００Ｆ                                    コネクタ
７１０，７１０Ｂ                            相手側端子
７１０Ｆ                                    端子
７１１，７１１Ｂ，７１１Ｆ                  接触部
７１２，７１２Ｂ，７１２Ｆ                  被固定部
７１５                                      ロック部材
７１６                                      第１部材
７１７                                      ロックバネ部
７１８，７１８Ｆ                            突起
７１９                                      第１被取付部
７２０                                      被ロック部
７２０Ｆ                                    ロック部
７３０                                      延長部
７３２                                      被規制部
７３８                                      第２部材
７３９                                      変形防止部
７４０                                      規制部
７４１                                      第２被取付部
７５０，７５０Ｂ                            相手側保持部材
７５０Ｆ                                    保持部材
７５２，７５２Ｂ，７５２Ｆ                  端面
７５４                                      ロック部材保持部
７５６                                      相手側端子保持部
７５７                                      第１側壁
７５８                                      第２側壁
【図１】
2019153497.tif 000003
【図２】
2019153497.tif 000004
【図３】
2019153497.tif 000005
【図４】
2019153497.tif 000006
【図５】
2019153497.tif 000007
【図６】
2019153497.tif 000008
【図７】
2019153497.tif 000009
【図８】
2019153497.tif 000010
【図９】
2019153497.tif 000011
【図１０】
2019153497.tif 000012
【図１１】
2019153497.tif 000013
【図１２】
2019153497.tif 000014
【図１３】
2019153497.tif 000015
【図１４】
2019153497.tif 000016
【図１５】
2019153497.tif 000017
【図１６】
2019153497.tif 000018
【図１７】
2019153497.tif 000019
【図１８】
2019153497.tif 000020
【図１９】
2019153497.tif 000021
【図２０】
2019153497.tif 000022
【図２１】
2019153497.tif 000023
【図２２】
2019153497.tif 000024
【図２３】
2019153497.tif 000025
【図２４】
2019153497.tif 000026
【図２５】
2019153497.tif 000027
【図２６】
2019153497.tif 000028
【図２７】
2019153497.tif 000029
【図２８】
2019153497.tif 000030
【図２９】
2019153497.tif 000031
【図３０】
2019153497.tif 000032
【図３１】
2019153497.tif 000033
【図３２】
2019153497.tif 000034
【図３３】
2019153497.tif 000035
【図３４】
2019153497.tif 000036
【図３５】
2019153497.tif 000037
【図３６】
2019153497.tif 000038
【図３７】
2019153497.tif 000039
【図３８】
2019153497.tif 000040